(57)【特許請求の範囲】
【請求項１】
地面に立設される支持部材と、
前記支持部材に支持される横材と、
二枚の薄板の間に発泡体で形成された芯材が配置されて構成される屋根材を有し、前記横材に吊られて支持される平板形状の屋根部と、
隣り合う前記屋根部同士を連結する連結部材と、
前記屋根部の下面と面一に配置され、前記連結部材を覆うカバーと、を備えることを特徴とする屋外用構造物。
【請求項２】
地面に立設される支持部材と、
前記支持部材に支持される横材と、
二枚の薄板の間にハニカム構造体で構成された芯材が配置されて構成される屋根材を有し、前記横材に吊られて支持される平板形状の屋根部と、
隣り合う前記屋根部同士を連結する連結部材と、
前記屋根部の下面と面一に配置され、前記連結部材を覆うカバーと、を備えることを特徴とする屋外用構造物。
【請求項３】
前記連結部材は、隣り合う前記屋根部同士の間に配置される本体と、前記本体に連設され、前記屋根部を係止する係止部とを備え、
前記連結部材は、前記係止部の前記本体に対する位置に応じて前記屋根部を仮支持及び固定可能に構成されている
請求項１または請求項２に記載の屋外用構造物。
【請求項４】
前記係止部は、前記本体の長手方向に間隔を空けて複数設けられている
請求項３に記載の屋外用構造物。
【請求項５】
前記屋根部は、前記屋根材の周囲に取り付けられる枠体を備え、
前記本体は、隣接する前記屋根部の前記枠体同士の間に配置され、
前記係止部は、前記本体の下部において前記本体に対して上下方向に移動可能に連設され、
前記係止部は前記枠体に備える被係止部を係止可能に構成されている
請求項３または請求項４に記載の屋外用構造物。
【請求項６】
前記本体は、前記横材に固定される
請求項５に記載の屋外用構造物。
【請求項７】
連結部材を介して平板形状の屋根部を複数連設する屋外用構造物の施工方法であって、
前記屋根部は、二枚の薄板の間に発泡体で形成された芯材が配置されて構成される屋根材と、前記屋根材の周囲に取り付けられる枠体とを備え、
前記連結部材は、本体と、前記本体に連設され、前記屋根部を係止する係止部とを備え、
地面に支持部材を立設する工程と、
前記支持部材に横材を固定する工程と、
前記横材に前記連結部材の前記本体を取り付ける工程と、
前記本体に前記連結部材の前記係止部を取り付ける工程と、
隣り合う前記屋根部のそれぞれの前記枠体に形成された被係止部を前記係止部に係止して前記屋根部を仮支持する工程と、
仮支持された前記屋根部の前記被係止部を前記係止部と前記本体とで挟持して、隣り合う前記屋根部を支持固定する工程と、
前記連結部材をカバーで覆い、前記カバーを前記屋根部の下面と面一に配置する工程と、を有することを特徴とする屋外用構造物の施工方法。
【請求項８】
連結部材を介して平板形状の屋根部を複数連設する屋外用構造物の施工方法であって、
前記屋根部は、二枚の薄板の間にハニカム構造体で構成された芯材が配置されて構成される屋根材と、前記屋根材の周囲に取り付けられる枠体とを備え、
前記連結部材は、本体と、前記本体に連設され、前記屋根部を係止する係止部とを備え、
地面に支持部材を立設する工程と、
前記支持部材に横材を固定する工程と、
前記横材に前記連結部材の前記本体を取り付ける工程と、
前記本体に前記連結部材の前記係止部を取り付ける工程と、
隣り合う前記屋根部のそれぞれの前記枠体に形成された被係止部を前記係止部に係止して前記屋根部を仮支持する工程と、
仮支持された前記屋根部の前記被係止部を前記係止部と前記本体とで挟持して、隣り合う前記屋根部を支持固定する工程と、
前記連結部材をカバーで覆い、前記カバーを前記屋根部の下面と面一に配置する工程と、を有することを特徴とする屋外用構造物の施工方法。
【発明の詳細な説明】
【技術分野】
【０００１】
本発明は、屋外用構造物及び屋外用構造物の施工方法に関する。
【背景技術】
【０００２】
バス停、駐車場、駐輪場や、屋外の通路等において、雨避け等の目的で屋根が設置される場合がある。例えば、カーポート等を構成する所定の部品を工場で作製し、この部品を設置現場で組み立てて施工する屋外用構造物が知られている（特許文献１）。特許文献１の簡易構造物等、従来の屋外用構造物では、折半屋根や、垂木及び母屋の上にポリカーボネートやガラス等の透明な屋根材を取り付けた屋根を、梁及び地面に固定した支柱で支える構造が採用されている。
【０００３】
従来の屋外用構造物において、例えば、複数の車を駐車可能なカーポート等、屋根面積が広い場合は、垂木及び母屋の上にポリカーボネートやガラス等の透明な屋根材を取り付けた屋根を複数連結している。
【先行技術文献】
【特許文献】
【０００４】
【特許文献１】特開２００６−９７３６４号公報
【発明の概要】
【発明が解決しようとする課題】
【０００５】
従来の屋外用構造物において、垂木及び母屋の上にポリカーボネートやガラス等の透明な屋根材を取り付けた屋根は重量が重い。そのため、施工現場において、複数の屋根を連結する作業は複数の作業者が協働して行う必要があり、施工現場での負担となり、施工に手間が掛るという課題があった。
【０００６】
上記事情を踏まえ、本発明は、複数の屋根部材が連結された屋外用構造物において、施工現場での負担を軽減可能な屋外用構造物及び屋外用構造物の施工方法を提供することを目的とする。
【課題を解決するための手段】
【０００７】
本発明に係る屋外用構造物は、地面に立設される支持部材と、前記支持部材に支持される横材と、二枚の薄板の間に発泡体で形成された芯材が配置されて構成される屋根材を有し、前記横材に吊られて支持される平板形状の屋根部と、隣り合う前記屋根部同士を連結する連結部材と、前記屋根部の下面と面一に配置され、前記連結部材を覆うカバーと、を備えることを特徴とする。
【０００８】
この発明によれば、屋根材が二枚の薄板の間に発泡体で形成された芯材が配置されて構成されるため、屋根材を軽量化することができ、且つ十分な強度が得られる。従来の屋外用構造物で用いられているポリカーボネート製の屋根材に比べて強度を高くできるため、垂木や母屋等の屋根を構成する部品が不要となり、連結部材を介する簡単な構成により、隣り合う屋根部同士を連結することができる。この結果、複数の屋根部が連結された屋外用構造物を施工する施工現場での負担を軽減することができる。また、屋根材が軽量化されることにより、施工現場での負担を軽減することができる。
【０００９】
本発明に係る屋外用構造物は、地面に立設される支持部材と、前記支持部材に支持される横材と、二枚の薄板の間にハニカム構造体で構成された芯材が配置されて構成される屋根材を有し、前記横材に吊られて支持される平板形状の屋根部と、隣り合う前記屋根部同士を連結する連結部材と、前記屋根部の下面と面一に配置され、前記連結部材を覆うカバーと、を備えることを特徴とする。
【００１０】
この発明によれば、屋根材が二枚の薄板の間にハニカム構造体で構成された芯材が配置されて構成されるため、屋根材を軽量化することができ、且つ十分な強度が得られる。従来の屋外用構造物で用いられているポリカーボネート製の屋根材に比べて強度を高くできるため、垂木や母屋等の屋根を構成する部品が不要となり、連結部材を介する簡単な構成により、隣り合う屋根部同士を連結することができる。この結果、複数の屋根部が連結された屋外用構造物を施工する施工現場での負担を軽減することができる。また、屋根材が軽量化されることにより、施工現場での負担を軽減することができる。
【００１１】
本発明に係る屋外用構造物において、前記連結部材は、隣り合う前記屋根部同士の間に配置される本体と、前記本体に連設され、前記屋根部を係止する係止部とを備え、前記連結部材は、前記係止部の前記本体に対する位置に応じて前記屋根部を仮支持及び固定可能に構成されていてもよい。
本発明に係る屋外用構造物において、前記係止部は、前記本体の長手方向に間隔を空けて複数設けられていてもよい。
【００１２】
この発明によれば、連結部材は、係止部の本体に対する位置に応じて屋根部を仮支持及び固定可能に構成されているので、一方の屋根部を仮支持した状態で隣の屋根部を仮支持することができる。したがって、隣り合う屋根部を連結する屋外用構造物の施工時の負担が軽減される。
【００１３】
本発明に係る屋外用構造物において、前記屋根部は、前記屋根材の周囲に取り付けられる枠体を備え、前記本体は、隣接する前記屋根部の前記枠体同士の間に配置され、前記係止部は、前記本体の下部において前記本体に対して上下方向に移動可能に連設され、前記係止部は前記枠体に備える被係止部を係止可能に構成されていてもよい。
【００１４】
この発明によれば、屋根部の枠体に備える被係止部を係止可能な係止部が本体の下部において本体に対して上下方向に移動可能に接続されているので、被係止部を係止部で係止した仮支持の状態から、係止部を本体に対して上側に移動させることにより複数の屋根部を連結することができる。したがって、施工時に施工者が屋根部を支持することなく屋根部が仮支持でき、複数の屋根部を連結する屋外用構造物の施工が容易になる。
【００１５】
本発明に係る屋外用構造物において、前記本体は、前記横材に固定されていてもよい。
【００１６】
この発明によれば、連結部材の本体が横材に固定されているので、軽量化された屋根部を横材に仮支持した状態にした後、固定することができる。したがって、複数の屋根部を連結する屋外用構造物の施工を１人または少人数で行うことが可能となり、施工時の負担が軽減される。
【００１７】
本発明の屋外用構造物の施工方法は、連結部材を介して平板形状の屋根部を複数連設する屋外用構造物の施工方法であって、前記屋根部は、二枚の薄板の間に発泡体で形成された芯材が配置されて構成される屋根材と、前記屋根材の周囲に取り付けられる枠体とを備え、前記連結部材は、本体と、前記本体に連設され、前記屋根部を係止する係止部とを備え、地面に支持部材を立設する工程と、前記支持部材に横材を固定する工程と、前記横材に前記連結部材の前記本体を取り付ける工程と、前記本体に前記連結部材の前記係止部を取り付ける工程と、隣り合う前記屋根部のそれぞれの前記枠体に形成された被係止部を前記係止部に係止して前記屋根部を仮支持する工程と、仮支持された前記屋根部の前記被係止部を前記係止部と前記本体とで挟持して、隣り合う前記屋根部を支持固定する工程と、前記連結部材をカバーで覆い、前記カバーを前記屋根部の下面と面一に配置する工程と、を有することを特徴とする。
【００１８】
この発明によれば、複数の屋根部材が連結された屋外用構造物を施工する際、施工現場での負担を軽減可能である。
【００１９】
本発明の屋外用構造物の施工方法は、連結部材を介して平板形状の屋根部を複数連設する屋外用構造物の施工方法であって、前記屋根部は、二枚の薄板の間にハニカム構造体で構成された芯材が配置されて構成される屋根材と、前記屋根材の周囲に取り付けられる枠体とを備え、前記連結部材は、本体と、前記本体に連設され、前記屋根部を係止する係止部とを備え、地面に支持部材を立設する工程と、前記支持部材に横材を固定する工程と、前記横材に前記連結部材の前記本体を取り付ける工程と、前記本体に前記連結部材の前記係止部を取り付ける工程と、隣り合う前記屋根部のそれぞれの前記枠体に形成された被係止部を前記係止部に係止して前記屋根部を仮支持する工程と、仮支持された前記屋根部の前記被係止部を前記係止部と前記本体とで挟持して、隣り合う前記屋根部を支持固定する工程と、前記連結部材をカバーで覆い、前記カバーを前記屋根部の下面と面一に配置する工程と、を有することを特徴とする。
【００２０】
この発明によれば、複数の屋根部材が連結された屋外用構造物を施工する際、施工現場での負担を軽減可能である。
【発明の効果】
【００２１】
本発明によれば、複数の屋根部材が連結された屋外用構造物において、施工現場での負担を軽減可能な屋外用構造物及び屋外用構造物の施工方法を提供することができる。
【図面の簡単な説明】
【００２２】
【図１】本発明の一実施形態に係る屋外用構造物を示す斜視図である。
【図２】図１のＡ−Ａ線における屋外用構造物の断面図である。
【図３】図１の屋外用構造物の上部の側面図である。
【図４】本発明の一実施形態の屋根部同士の連結部分を示す断面図である。
【図５】本発明の一実施形態の屋外用構造物の連結部分を示す分解斜視図である。
【図６】本発明の一実施形態の連結部材と屋根部同士との仮支持状態と係合状態とを示す断面図である。
【図７】本発明の一実施形態に係る屋外用構造物の施工方法を示す模式図である。
【図８】本発明の一実施形態に係る屋外用構造物の施工方法を示す模式図である。
【発明を実施するための形態】
【００２３】
図１は、本発明の一実施形態に係る屋外用構造物１の斜視図である。図２は、図１のＡ−Ａ線における屋外用構造物の断面図である。図３は、図１に示す屋外用構造物１の上部を図１の矢印Ｂ方向から見た側面図である。本実施形態に係る屋外用構造物１は、屋根部２と、支柱３（支持部材）と、横材５と、連結部材７とを備える。図１に示すように、屋外用構造物１は、２本の支柱３に横材５が架設された一対の支持体３０，３０の横材５に、複数の屋根部２が吊り下げられて支持される構成を有する。
【００２４】
支柱３は、中空の角柱からなる本体部３３と、キャップ３２とを備える。本体部３３の内面には、キャップ３２を固定するためのネジ（不図示）が係合される係合部（不図示）が支柱３の上下方向に延設されている。支柱３は、例えば、アルミニウム形材からなる。キャップ３２は、例えば、ＡＳＡ樹脂（Acrylonitrile-Styrene-Acrylate樹脂）からなる。
【００２５】
横材５は、例えば、アルミニウム形材からなる中空の角柱であり、下部には、長手方向に平行に延びる一対の屋根係止部５１，５１（図５参照）を備える。
【００２６】
屋根部２は、略長方形の平板形状を有する。図４に示すように、屋根部２は、屋根材４と、屋根材４の外面を覆う外装材４５と、屋根材４の周囲に取り付けられる枠体６とを備える。
【００２７】
屋根材４は、芯材４１と、芯材４１の両面に配置された薄板４２１，４２２とが積層されて構成されている。芯材４１は、押出発泡ポリスチレンからなる板材である。具体的には、ポリスチレン又はポリスチレンの共重合体に発泡剤等を添加して溶融させた原料を押し出し発泡成形して形成された厚さ３ｃｍの板材である。
【００２８】
薄板は、上側薄板４２１と下側薄板４２２とで構成される。上側薄板４２１は、厚さ０.５ｍｍのアルミニウム板からなる。下側薄板４２２は、厚さ３ｍｍのアルミニウム樹脂複合板からなる。アルミニウム樹脂複合板は、例えば、ポリエチレン等の樹脂芯材の両面にアルミニウム面材が積層されて構成されたものを使用できる。上側薄板４２１及び下側薄板４２２は、芯材４１の上下面にそれぞれ接着剤で貼り付けられて屋根材４が形成されている。
【００２９】
外装材４５は、屋根材４の少なくとも下面に接着材により貼り付けられるシートである。外装材４５は、屋根材４の表面の保護及び意匠性を高めるために設けられる。本実施形態では、外装材４５は、木目模様が印刷されたシートで構成されている。この外装材４５を屋根材４に張り付けると、屋根材４が木製の板屋根のような外観となる。なお、外装材４５は、色、模様等を適宜選択して設けることができる。また、外装材４５はシートに限らず、金属や樹脂製の建材や塗装、印刷等であってもよい。
【００３０】
枠体６は、屋根材４の周囲（縁端部）に設けられている。枠体６は、アルミニウム製の押し出し形材である。枠体６には、外装材４５と同じ柄のシートが貼られたラッピング形材である。
【００３１】
枠体６は、略Ｈ字形の断面を有する長尺部材である。図４に示すように、枠体６は、上下方向に伸びる縦壁部６１６を境界として、屋根材４側に配置される内側凹部６１１と、外方に配置される外側凹部６１２（連結部）とを備える。枠体６の一方の内側凹部６１１に屋根材４の外縁部４３が内嵌される。枠体６は、屋根部２の長辺の両方に使用できる共通部品である。なお、屋根部２の短辺においても同様の断面形状の枠本体を使用できる。
【００３２】
枠体６は、屋根材４の側面にそれぞれ外嵌されている。枠体６と屋根材４の外嵌部分の隙間は、シール材（不図示）により塞がれて防水処理が施されている。シール材は、例えば、フィルムにアクリル系感圧型粘着剤が設けられた接着テープが用いられる。なお、図２には、屋根材４のみが外装材４５で被覆される構成を示すが、屋根材４及び枠体６が外装材４５で被覆される構成でもよい。また、シール材として、コーキング材を塗布してもよい。
【００３３】
図４及び図５に示すように、連結部材７は、隣り合う屋根部２，２同士の枠体６，６の間に配置される部材である。連結部材７は、連結部本体７１（本体）と、係止部７２とを備える。連結部本体７１は、屋根部２の隣り合う側面の長さと略等しく、断面が略長方形の中空の長尺部材である。連結部本体７１には、上部の両側面から水平方向に延びる一対の屋根当接部７３，７３を備える。連結部本体７１の下面には、ねじ９０が螺合するねじ孔７１ａが形成されている。
【００３４】
図４及び図５に示すように、係止部７２は、連結部本体７１の下端部を長手方向に覆う凹部７２ａと、凹部７２ａの上端部に形成された屋根係合部７２ｂ，７２ｂと、係止部７２の下端から延びるカバー係合部７２ｃ，７２ｃと備える押し出し形材である。屋根係合部７２ｂ及びカバー係合部７２ｃは、連結部本体７１の長手方向と平行に延びてそれぞれ一対形成されている。凹部７２ａの底部には、ねじ９０が螺合するねじ孔７２ｄが形成されている。
【００３５】
図５及び図８に示すように、カバー７４は、断面略Ｕ字形状の長尺部材である。カバー７４の上端部には、一対のカバー係合部７２ｃ，７２ｃと係合する一対の係合爪７４ａ，７４ａが形成されている。カバー７４は、連結部本体７１の長さと略等しい長さを有する。連結部本体７１、係止部７２及びカバー７４は、アルミニウム製の押し出し形材である。
【００３６】
接続部材８は、屋根部２を支持体３０，３０の横材５に対して接続する部材である。接続部材８は、鉛直方向に延びる平面からなる鉛直部８１と、水平方向に延びる平面からなる水平部８２と、鉛直部８１及び水平部８２に対して直交する平面からなり鉛直部８１と水平部８２とを接続する接続部８３とを備える。接続部材８はステンレスからなる。
【００３７】
次に、屋外用構造物１の連結構造について説明する。
図２から図６に示すように、横材５の鉛直面に接続部材８の鉛直部８１がねじ９１，９１で取り付けられている。接続部材８の水平部８２には、連結部本体７１の上面が当接されて、ボルト９３で連結部本体７１が固定されている。
【００３８】
隣り合う屋根部２，２の枠体６，６の間に連結部本体７１が配置されている。係止部７２は、連結部本体７１の長手方向に間隔を空けて複数設けられている。連結部本体７１の下部が係止部７２の凹部７２ａに挿入され、係止部７２がねじ９０で連結部本体７１に固定されている。枠体６の突起爪６１５が係止部７２の屋根係合部７２ｂに上方から係合している。屋根部２の上面は連結部本体７１の屋根当接部７３，７３と当接し、隣り合う枠体６，６がそれぞれ連結部本体７１及び係止部７２で挟持されるように固定されている。屋外用構造物１は、このような構成により、複数の屋根部２が一対の支持体３０，３０の横材５に吊られるように連結されて支持されている。また、カバー７４は、屋根部２の下面と面一に配置される。
【００３９】
次に、屋外用構造物１の施工方法を説明する。
屋外用構造物１の屋根部２、支柱３、横材５等の部品は予め工場で作製されており、これらを施工現場で組み立てることにより屋外用構造物１が得られる。まず、地面に埋設または固定された複数の土台部（不図示）に２本の支柱３，３を固定し支柱３，３を立設する。支柱３，３の間に横材５を架設して固定して支持体３０を構築する。もう一つの支持体３０も同様に立設する。なお、支柱３，３を立設する前に、支柱３，３の間に横材５を固定して支持体３０を組み立てた後に、支柱３，３を土台部に固定して、支持体３０を立設してもよい。
【００４０】
次に、横材５に複数の接続部材８を取り付ける。横材５の長手方向の鉛直面のうち、支持体３０の鉛直面同士が対向する面に、接続部材８の鉛直部８１がねじ９１，９１で取り付けられる。接続部材８は、隣り合う屋根部２，２同士の連結位置に合わせて、横材５に間隔を空けて複数接続される。
【００４１】
次に、接続部材８に連結部本体７１を取り付ける。接続部材８の水平部８２に、連結部本体７１の上面を当接させて、ボルト９３で連結部本体７１を固定する。
なお、予め、接続部材８に連結部本体７１を取り付けた状態とした後、横材５に接続部材８を固定する手順でもあってよい。
【００４２】
次に、連結部本体７１に係止部７２を取り付ける。図６（Ａ）に示すように、係止部７２を、連結部本体７１の下面に凹部７２ａが対向するように配置し、ねじ９０が凹部７２ａのねじ孔７２ｄ及び連結部本体７１のねじ孔７１ａに挿入されて、係止部７２が連結部本体７１に接続される。このとき、図６（Ａ）及び図７に示すように、凹部７２ａの底部と連結部本体７１の下面との間を離間して接続する。係止部７２は、ねじ９０の締め具合に応じて、連結部本体７１に対して上下方向に移動可能に連設される。なお、複数の接続部材８のうち、支柱３に最も近い接続部材８には連結部材７を取り付けない。
【００４３】
次に、屋根部２を連結部材７に取り付ける。まず、図７に示すように、複数の屋根部２のうち、最も端の屋根部２ａを取り付ける。屋根部２ａの枠体６を、支柱３に最も近い連結部材７に係止する。具体的には、枠体６の外側凹部６１２を連結部本体７１の屋根当接部７３の下方から近付け、枠体６の突起爪６１５を係止部７２の屋根係合部７２ｂに係止して仮支持状態にする。続いて、図７に示すように、屋根係合部７２ｂに係止された枠体６と平行に延びる他方の枠体６の外側凹部６１２を接続部材８の水平部８２にボルトを介して固定する。このとき、屋根部２ａは、連結部材７により仮支持された状態であるので、接続部材８に対して枠体６が離間した状態で仮支持状態とする。
【００４４】
続いて、上記屋根部２ａの隣に設ける屋根部２ｂを取り付ける。図８に示すように、屋根部２ｂの枠体６のうち、一つの枠体６の外側凹部６１２を連結部本体７１の屋根当接部７３の下方から近付け、枠体６の突起爪６１５を係止部７２の屋根係合部７２ｂに係止して仮支持する。続いて、隣に設けられた連結部本体７１に係止部７２を取り付ける。このとき、仮支持されていない側の屋根部２ｂの枠体６を屋根当接部７３の下方に配置し、枠体６の下方から係止部７２を連結部本体７１側に近付け、ねじ９０を凹部７２ａのねじ孔７２ｄ及び連結部本体７１のねじ孔７１ａに挿入して、屋根係合部７２ｂで、枠体６の突起爪６１５を係止させる。係止部７２は連結部本体７１と離間した状態で連結部本体７１に接続され、屋根部２ｂが連結部材７，７に仮支持される。
【００４５】
図６（Ａ）に示すように、全ての屋根部２ａ，２ｂを仮支持したら、各連結部材７に取り付けられた各ねじ９０を締めて係止部７２を上昇させて連結部本体７１に近付け、図６（Ｂ）に示すように、係止部７２の凹部７２ａが連結部本体７１の下部を覆う状態で固定する。この結果、屋根部２ａ、２ｂの突起爪６１５を係止部７２と連結部本体７１とで挟持して、隣り合う屋根部２同士が支持固定される。ここで、屋根部２は、図３に示すように一対の支持体３０，３０のうちの一方側において高くなるように水平方向に対して傾斜させて固定される。屋根部２の傾斜角度は、例えば２度であり、接続部材８を横材５に取り付ける高さにより調整可能である。
【００４６】
係止部７２の下方からカバー７４を近付けて一対の係合爪７４ａ，７４ａをカバー係合部７２ｃ，７２ｃと係合させて連結部材７が屋根部２の下側から見えないように覆う。
【００４７】
最後に、支柱３，３に最も近い屋根部２の枠体６のうち、接続部材８の水平部８２に固定された、屋根部２の枠体６の外側凹部６１２を覆うように屋根枠カバー（不図示）を取り付け屋外用構造物１が完成する。
【００４８】
本実施形態に係る屋外用構造物１によれば、屋根材４が二枚の薄板４２１，４２２の間に発泡体で形成された芯材４１が配置されて構成されるため、屋根材４を軽量化することができ、且つ十分な強度が得られる。従来の屋外用構造物で用いられているポリカーボネート製の屋根材に比べて強度を高くできるため、垂木や母屋等の屋根を構成する部品が不要となり、連結部材７を介する簡単な構成により、隣り合う屋根部２，２同士を連結することができる。この結果、複数の屋根部２が連結された屋外用構造物１を施工する施工現場での負担を軽減することができる。また、屋根材４が軽量化されることにより、施工現場での負担を軽減することができる。
【００４９】
本実施形態に係る屋外用構造物１によれば、屋根材４を軽量化することができるとともに、耐熱性、断熱性を向上させることができる。
【００５０】
本実施形態に係る屋外用構造物１によれば、連結部材７は、係止部７２の連結部本体７１に対する位置に応じて屋根部２を仮支持及び固定可能に構成されているので、一方の屋根部２ａを仮支持した状態で隣の屋根部２ｂを仮支持することができる。したがって、隣り合う屋根部２ａ，２ｂを連結する屋外用構造物１の施工時の負担が軽減される。
【００５１】
本実施形態に係る屋外用構造物１によれば、屋根部２の枠体６に備える突起爪６１５を係止可能な係止部７２が連結部本体７１の下部において連結部本体７１に対して上下方向に移動可能に接続されているので、突起爪６１５を係止部７２で係止した仮支持の状態から、係止部７２を連結部本体７１に対して上側に移動させることにより複数の屋根部２ａ，２ｂを連結することができる。したがって、施工時に施工者が屋根部２を支持することなく屋根部２が仮支持でき、複数の屋根部２を連結する屋外用構造物１の施工が容易になる。
【００５２】
本実施形態に係る屋外用構造物１によれば、連結部材７の連結部本体７１が横材５に固定されているので、軽量化された屋根部２を横材５に仮支持した状態にした後、固定することができる。したがって、複数の屋根部２ａ，２ｂを連結する屋外用構造物１の施工を１人または少人数で行うことが可能となり、施工時の負担が軽減される。
【００５３】
本実施形態に係る屋外用構造物１によれば、複数の屋根部２が連結された屋外用構造物１を施工する際、施工現場での負担を軽減可能である。
【００５４】
本実施形態に係る屋外用構造物１は、複数の屋根部２を仮支持した後、固定可能であるので、施工者が仮支持された屋根部２から手を離すことができる。そのため、例えば、一人の施工者でも、複数の屋根部２を容易に連結させて支持体３０に取り付けることができる。
【００５５】
上記実施形態では、カバー７４により連結部材７の下部を覆うので、連結部材７が屋根部２の下方から視認されることが無い。また、カバー７４は、屋根部２の下面と面一に配置されるので、意匠性に優れた屋外用構造物１を提供できる。なお、カバー７４は必須の構成ではない。
【００５６】
上記実施形態では、略長方形の屋根部２の長辺同士を連結する例を示したが、隣り合う屋根部２の短辺同士を連結する場合にも適用できる。
【００５７】
上記実施形態では、薄板は上側薄板４２１がアルミニウム板からなり、下側薄板４２２がアルミニウム樹脂複合板からなる例を示したが、薄板はこれに限定されず、軽量且つ耐久性に優れた板材若しくはシートであればよい。例えば、繊維強化プラスチック板、鋼板のいずれか一つまたはいずれかの組み合わせからなる薄板でもよい。また、上側薄板及び下側薄板が同じ材料からなる薄板であってもよい。この他、例えば、薄板として、木目模様等を有するシートを直接発泡体に貼って屋根材を構成してもよい。
【００５８】
上記実施形態では、屋根材及び壁パネル部材の芯材として、押出発泡ポリスチレンからなる板材を例示したが、芯材は発泡体で形成された軽量且つ屋根材として十分な強度を備えるものであればよく、例えば、発泡ポリエチレン、発泡スチロール等であってもよい。さらに、屋根材は、発泡ポリスチレン、発泡ポリエチレン、発泡スチロール、樹脂、金属等で形成されたハニカム構造体で構成される芯材を薄板で挟んで構成されてもよい。
【００５９】
本実施形態では、キャップ３２はＡＳＡ樹脂（Acrylonitrile-Styrene-Acrylate樹脂）からなる例を示したが、キャップの材質はこれに限定されず、例えば、ステンレス等であってもよい。
【００６０】
本実施形態では、アルミニウム板（薄板）と枠体とが別の部材で構成される例を挙げたが、２枚の薄板と長辺方向の枠体とを一体に形成して、２枚の薄板と長辺方向の枠体とで形成された空間に芯材を収容する構成であってもよい。
【００６１】
以上、本発明の実施形態について図面を参照して詳述したが、具体的な構成はこの実施形態に限られるものではなく、本発明の要旨を逸脱しない範囲の設計変更等も含まれる。
また、上述の各実施形態及び各変形例において示した構成要素は適宜に組み合わせて構成することが可能である。
【符号の説明】
【００６２】
１  屋外用構造物
２  屋根部
３  支柱（支持部材）
４  屋根材
５  横材
６  枠体
７  連結部材
４１  芯材
７１  連結部本体（本体）
７２  係止部
４２１，４２２  薄板
６１５  突起爪（被係止部）
【図１】
0006652388.tif 000002
【図２】
0006652388.tif 000003
【図３】
0006652388.tif 000004
【図４】
0006652388.tif 000005
【図５】
0006652388.tif 000006
【図６】
0006652388.tif 000007
【図７】
0006652388.tif 000008
【図８】
0006652388.tif 000009